(57)【特許請求の範囲】
【請求項１】
アルミ軽合金からなる円筒状のハウジングと、
このハウジングに取り付けられた電動モータと、
この電動モータの回転力をモータ軸を介して伝達する減速機構と、
この減速機構を介して前記電動モータの回転運動を駆動軸の軸方向の直線運動に変換するボールねじ機構とを備え、
このボールねじ機構が、前記ハウジングに装着された一対の支持軸受を介して回転可能に、かつ軸方向移動不可に支持され、内周に螺旋状のねじ溝が形成されたナットと、
このナットに多数のボールを介して内挿され、前記駆動軸と同軸状に一体化され、外周に前記ナットのねじ溝に対応する螺旋状のねじ溝が形成され、前記ハウジングに対して回転不可に、かつ軸方向移動可能に支持されたねじ軸とで構成されると共に、
前記ハウジングに前記ねじ軸を収容する袋孔が形成された電動リニアアクチュエータにおいて、
前記ハウジングの袋孔に円筒状のスリーブが嵌合され、このスリーブの内周に軸方向に延び、対向する位置に一対の凹溝が形成されて前記ねじ軸の端部に植設されたガイドピンが係合されると共に、前記ハウジングの袋孔の開口部に環状溝が形成され、この環状溝に穴用の止め輪が装着され、前記環状溝の溝幅が前記止め輪の自由高さよりも小さく設定され、かつ、切欠き部を中心に左右対称となる位置に少なくとも一箇所に頂点を有する湾曲部が形成された当該穴用の止め輪の湾曲部によって前記スリーブの端面が押圧された状態で抜け止めされていることを特徴とする電動リニアアクチュエータ。
【請求項２】
前記止め輪の少なくとも外径部の角部が丸められている請求項１に記載の電動リニアアクチュエータ。
【請求項３】
前記止め輪が、予め角部が丸められた線材を用いてプレス加工によって形成されている請求項１または２に記載の電動リニアアクチュエータ。
【請求項４】
前記スリーブが、浸炭焼入が可能な焼結合金で形成されている請求項１に記載の電動リニアアクチュエータ。
【請求項５】
前記ハウジングがアルミダイカストによって形成されている請求項１に記載の電動リニアアクチュエータ。
【請求項６】
前記ガイドピンが針状ころ軸受用の針状ころからなっている請求項１に記載の電動リニアアクチュエータ。
【発明の詳細な説明】
【技術分野】
【０００１】
本発明は、一般産業用の電動機、自動車等の駆動部に使用されるボールねじ機構を備えた電動リニアアクチュエータ、詳しくは、自動車のトランスミッションやパーキングブレーキ等で、電動モータからの回転入力を、ボールねじ機構を介して駆動軸の直線運動に変換する電動リニアアクチュエータに関するものである。
【背景技術】
【０００２】
各種駆動部に使用される電動リニアアクチュエータにおいて、電動モータの回転運動を軸方向の直線運動に変換する機構として、台形ねじ、あるいはラックアンドピニオン等の歯車機構が一般的に使用されている。これらの変換機構は、滑り接触部を伴うため動力損失が大きく、電動モータの大型化や消費電力の増大を余儀なくされている。そのため、より効率的なアクチュエータとしてボールねじ機構が採用されるようになってきた。
【０００３】
従来の電動リニアアクチュエータとしては、例えば、ハウジングに支持された電動モータにより、ボールねじを構成するボールねじ軸を回転駆動自在とし、このボールねじ軸を回転駆動することによってナットに結合された出力部材を軸方向に変位可能としている。ボールねじ機構は、摩擦が非常に低く、出力部材側に作用するスラスト荷重によって簡単にボールねじ軸が回転してしまうので、電動モータが停止時に出力部材を位置保持する必要がある。
【０００４】
そこで、例えば、電動モータにブレーキ手段を設けたり、あるいは伝達手段としてウオームギアのような低効率なものを設けたりすることがなされているが、その代表的なものとして、図７に示すような電動リニアアクチュエータが知られている。この電動リニアアクチュエータ５０は、電動モータ（図示せず）により回転駆動されるボールねじ軸５１と、このボールねじ軸５１にボール（図示せず）を介して螺合されたボールねじナット５２とを備えるボールねじ機構５３を採用している。電動モータのモータ軸（図示せず）が回転すると、このモータ軸に連結されたボールねじ軸５１が回転し、ボールねじナット５２を直線運動（図の左右方向）に移動させる。
【０００５】
ボールねじ軸５１は、円筒状のハウジング５４、５５に２つの転がり軸受５６、５７によって回転自在に支承されている。これらの転がり軸受５６、５７は、固定用の蓋５８を介して緩み止め用の回り止め部材５９によって固定されている。
【０００６】
ボールねじ軸５１の外周には螺旋状のねじ溝５１ａが形成され、ボールを介して円筒状のボールねじナット５２が螺合されている。ボールねじナット５２の内周には螺旋状のねじ溝５２ａが形成され、端部に大径部６０が形成されている。
【０００７】
大径部６０の側面には、端面がフラットになるようにカットされたフラット部６１が形成されている。このフラット部６１の略中央部には、カムフォロア（回転止め手段）６２が径方向の外側に向けて突設されている。
【０００８】
このように、カムフォロア６２が切欠き部に嵌合されているので、ボールねじナット５２は、ボールねじ軸５１の回転に伴って連れ回りすることがなく、かつ、カムフォロア６２が切欠き部に回転摺動するので、摺動摩擦や摩耗の問題を低減することができる（例えば、特許文献１参照。）。
【先行技術文献】
【特許文献】
【０００９】
【特許文献１】特開２００７−３３３０４６号公報
【発明の概要】
【発明が解決しようとする課題】
【００１０】
こうした従来の電動リニアアクチュエータ５０では、ボールねじナット５２の回転止め手段としてカムフォロア６２が使用されているため、摺動摩擦や摩耗の問題を低減すると共に、低トルク化を図ることができるが、カムフォロア６２自体が転がり軸受を使用しているためコストが高騰する恐れがある。また、ハウジング５４がアルミ材料を使用している場合は、摩耗対策が必要になってくる。
【００１１】
本発明は、こうした従来技術の問題点に鑑みてなされたものであり、摺動摩擦や摩耗の低減を図ると共に、簡便な構造で低コスト化を図った電動リニアアクチュエータを提供することを目的とする。
【課題を解決するための手段】
【００１２】
係る目的を達成すべく、本発明のうち請求項１に記載の発明は、アルミ軽合金からなる円筒状のハウジングと、このハウジングに取り付けられた電動モータと、この電動モータの回転力をモータ軸を介して伝達する減速機構と、この減速機構を介して前記電動モータの回転運動を駆動軸の軸方向の直線運動に変換するボールねじ機構とを備え、このボールねじ機構が、前記ハウジングに装着された一対の支持軸受を介して回転可能に、かつ軸方向移動不可に支持され、内周に螺旋状のねじ溝が形成されたナットと、このナットに多数のボールを介して内挿され、前記駆動軸と同軸状に一体化され、外周に前記ナットのねじ溝に対応する螺旋状のねじ溝が形成され、前記ハウジングに対して回転不可に、かつ軸方向移動可能に支持されたねじ軸とで構成されると共に、前記ハウジングに前記ねじ軸を収容する袋孔が形成された電動リニアアクチュエータにおいて、前記ハウジングの袋孔に円筒状のスリーブが嵌合され、このスリーブの内周に軸方向に延び、対向する位置に一対の凹溝が形成されて前記ねじ軸の端部に植設されたガイドピンが係合されると共に、前記ハウジングの袋孔の開口部に環状溝が形成され、この環状溝に穴用の止め輪が装着され、前記環状溝の溝幅が前記止め輪の自由高さよりも小さく設定され、かつ、切欠き部を中心に左右対称となる位置に少なくとも一箇所に頂点を有する湾曲部が形成された当該穴用の止め輪の湾曲部によって前記スリーブの端面が押圧された状態で抜け止めされている。
【００１３】
このように、アルミ軽合金からなる円筒状のハウジングと、このハウジングに取り付けられた電動モータと、この電動モータの回転力をモータ軸を介して伝達する減速機構と、この減速機構を介して電動モータの回転運動を駆動軸の軸方向の直線運動に変換するボールねじ機構とを備え、このボールねじ機構が、ハウジングに装着された一対の支持軸受を介して回転可能に、かつ軸方向移動不可に支持され、内周に螺旋状のねじ溝が形成されたナットと、このナットに多数のボールを介して内挿され、駆動軸と同軸状に一体化され、外周にナットのねじ溝に対応する螺旋状のねじ溝が形成され、ハウジングに対して回転不可に、かつ軸方向移動可能に支持されたねじ軸とで構成されると共に、ハウジングにねじ軸を収容する袋孔が形成された電動リニアアクチュエータにおいて、ハウジングの袋孔に円筒状のスリーブが嵌合され、このスリーブの内周に軸方向に延び、対向する位置に一対の凹溝が形成されてねじ軸の端部に植設されたガイドピンが係合されると共に、ハウジングの袋孔の開口部に環状溝が形成され、この環状溝に穴用の止め輪が装着され、環状溝の溝幅が止め輪の自由高さよりも小さく設定され、かつ、切欠き部を中心に左右対称となる位置に少なくとも一箇所に頂点を有する湾曲部が形成された当該穴用の止め輪の湾曲部によってスリーブの端面が押圧された状態で抜け止めされているので、ハウジングの摺動摩擦や摩耗の低減を図ると共に、簡便な構造で低コスト化を図った電動リニアアクチュエータを提供することができる。
【００１６】
また、請求項２に記載の発明のように、前記止め輪の少なくとも外径部の角部が丸められていれば、装着時にハウジングに接触し、内周面を削ってコンタミの発生による作動不良を防止して信頼性を高めることができる。
【００１７】
また、請求項３に記載の発明のように、前記止め輪が、予め角部が丸められた線材を用いてプレス加工によって形成されていれば、後処理が不要となり量産性が向上する。
【００１８】
また、請求項４に記載の発明のように、前記スリーブが、浸炭焼入が可能な焼結合金で形成されていれば、加工度が高く複雑な形状であっても容易に、かつ精度良く所望の形状・寸法に成形することができる。
【００１９】
また、請求項５に記載の発明のように、前記ハウジングがアルミダイカストによって形成されていれば、量産性に富み、低コスト化を図ることができる。
【００２０】
また、請求項６に記載の発明のように、前記ガイドピンが針状ころ軸受用の針状ころからなっていれば、耐摩耗性とせん断強度に優れると共に、入手性が良く低コスト化を図ることができる。また、針状ころを使用することにより、外周面にクラウニングが形成されているので、スリーブの凹溝との接触においてエッジロードを防止して接触面圧を低下させ、長期間に亘って耐久性を向上させることができる。
【発明の効果】
【００２１】
本発明に係る電動リニアアクチュエータは、アルミ軽合金からなる円筒状のハウジングと、このハウジングに取り付けられた電動モータと、この電動モータの回転力をモータ軸を介して伝達する減速機構と、この減速機構を介して前記電動モータの回転運動を駆動軸の軸方向の直線運動に変換するボールねじ機構とを備え、このボールねじ機構が、前記ハウジングに装着された一対の支持軸受を介して回転可能に、かつ軸方向移動不可に支持され、内周に螺旋状のねじ溝が形成されたナットと、このナットに多数のボールを介して内挿され、前記駆動軸と同軸状に一体化され、外周に前記ナットのねじ溝に対応する螺旋状のねじ溝が形成され、前記ハウジングに対して回転不可に、かつ軸方向移動可能に支持されたねじ軸とで構成されると共に、前記ハウジングに前記ねじ軸を収容する袋孔が形成された電動リニアアクチュエータにおいて、前記ハウジングの袋孔に円筒状のスリーブが嵌合され、このスリーブの内周に軸方向に延び、対向する位置に一対の凹溝が形成されて前記ねじ軸の端部に植設されたガイドピンが係合されると共に、前記ハウジングの袋孔の開口部に環状溝が形成され、この環状溝に穴用の止め輪が装着され、前記環状溝の溝幅が前記止め輪の自由高さよりも小さく設定され、かつ、切欠き部を中心に左右対称となる位置に少なくとも一箇所に頂点を有する湾曲部が形成された当該穴用の止め輪の湾曲部によって前記スリーブの端面が押圧された状態で抜け止めされているので、ハウジングの摺動摩擦や摩耗の低減を図ると共に、簡便な構造で低コスト化を図った電動リニアアクチュエータを提供することができる。
【図面の簡単な説明】
【００２２】
【図１】本発明に係る電動リニアアクチュエータの一実施形態を示す縦断面図である。
【図２】図１のボールねじ機構を示す縦断面図である。
【図３】図１のＩＩＩ−ＩＩＩ線に沿った横断面図である。
【図４】図１の止め輪の装着部を示す要部拡大図である。
【図５】（ａ）は、本発明に係る止め輪の側面図、（ｂ）は、（ａ）の正面図である。
【図６】従来の止め輪の装着部状態を示す説明図である。
【図７】従来の電動リニアアクチュエータを示す縦断面図である。
【発明を実施するための形態】
【００２３】
アルミ軽合金からなる円筒状のハウジングと、このハウジングに取り付けられた電動モータと、この電動モータの回転力をモータ軸を介して伝達する減速機構と、この減速機構を介して前記電動モータの回転運動を駆動軸の軸方向の直線運動に変換するボールねじ機構とを備え、このボールねじ機構が、前記ハウジングに装着された一対の支持軸受を介して回転可能に、かつ軸方向移動不可に支持され、内周に螺旋状のねじ溝が形成されたナットと、このナットに多数のボールを介して内挿され、前記駆動軸と同軸状に一体化され、外周に前記ナットのねじ溝に対応する螺旋状のねじ溝が形成され、前記ハウジングに対して回転不可に、かつ軸方向移動可能に支持されたねじ軸とで構成されると共に、前記ハウジングに前記ねじ軸を収容する袋孔が形成された電動リニアアクチュエータにおいて、前記ハウジングの袋孔に円筒状のスリーブが嵌合され、このスリーブの内周に軸方向に延び、対向する位置に一対の凹溝が形成されて前記ねじ軸の端部に植設されたガイドピンが係合されると共に、前記ハウジングの袋孔の開口部に環状溝が形成され、この環状溝に装着され、切欠き部を中心に左右対称となる位置に頂点を有する湾曲部が形成された穴用の止め輪によって前記スリーブが押圧された状態で抜け止めされている。
【実施例】
【００２４】
以下、本発明の実施の形態を図面に基づいて詳細に説明する。
図１は、本発明に係る電動リニアアクチュエータの一実施形態を示す縦断面図、図２は、図１のボールねじ機構を示す縦断面図、図３は、図１のＩＩＩ−ＩＩＩ線に沿った横断面図、図４は、図１の止め輪の装着部を示す要部拡大図、図５（ａ）は、本発明に係る止め輪の側面図、（ｂ）は、（ａ）の正面図、図６は、従来の止め輪の装着部状態を示す説明図である。
【００２５】
この電動リニアアクチュエータ１は、図１に示すように、円筒状のハウジング２と、このハウジング２に取り付けられた電動モータ３と、この電動モータ３の回転力をモータ軸３ａを介して伝達する一対の平歯車４、５からなる減速機構６と、この減速機構６を介して電動モータ３の回転運動を駆動軸７の軸方向の直線運動に変換するボールねじ機構８とを備えている。
【００２６】
ハウジング２は、Ａ６０６３ＴＥやＡＤＣ１２等のアルミ合金からなり、第１のハウジング２ａと、その端面に衝合された第２のハウジング２ｂとを備え、固定ボルト（図示せず）によって一体に固定されている。第１のハウジング２ａには電動モータ３が取り付けられると共に、この第１のハウジング２ａと第２のハウジング２ｂには、ねじ軸１２を収容するための袋孔９、１０が形成されている。
【００２７】
電動モータ３のモータ軸３ａの端部には小平歯車４が圧入により相対回転不能に取り付けられ、第２のハウジング２ｂに装着された転がり軸受１１によって回転自在に支持されている。大平歯車５は、後述するボールねじ機構８を構成するナット１４に一体形成され、小平歯車４に噛合している。駆動軸７は、ボールねじ機構８を構成するねじ軸１２と一体に構成されている。
【００２８】
ボールねじ機構８は、図２に拡大して示すように、ねじ軸１２と、このねじ軸１２にボール１３を介して外装されたナット１４とを備えている。ねじ軸１２は、外周に螺旋状のねじ溝１２ａが形成され、軸方向移動自在に、かつ回転不可に支承されている。一方、ナット１４は、内周にねじ軸１２のねじ溝１２ａに対応する螺旋状のねじ溝１４ａが形成され、これらねじ溝１２ａ、１４ａとの間に多数のボール１３が転動自在に収容されている。そして、ナット１４は、ハウジング（図示せず）に対して、２つの支持軸受１５、１６を介して回転自在に、かつ軸方向移動不可に支承されている。１７は、ナット１４のねじ溝１４ａを連結してボール１３の循環部材を構成する駒部材で、この駒部材１７によって多数のボール１３が無限循環することができる。
【００２９】
各ねじ溝１２ａ、１４ａの断面形状は、サーキュラアーク形状であってもゴシックアーク形状であっても良いが、ここではボール１３との接触角が大きくとれ、アキシアルすきまが小さく設定できるゴシックアーク形状に形成されている。これにより、軸方向荷重に対する剛性が高くなり、かつ振動の発生を抑制することができる。
【００３０】
ナット１４はＳＣＭ４１５やＳＣＭ４２０等の肌焼き鋼からなり、真空浸炭焼入れによってその表面に５５〜６２ＨＲＣの範囲に硬化処理が施されている。これにより、熱処理後のスケール除去のためのバフ加工等を省略することができ、低コスト化を図ることができる。一方、ねじ軸１２はＳ５５Ｃ等の中炭素鋼あるいはＳＣＭ４１５やＳＣＭ４２０等の肌焼き鋼からなり、高周波焼入れ、あるいは浸炭焼入れによってその表面に５５〜６２ＨＲＣの範囲に硬化処理が施されている。
【００３１】
ナット１４の外周には減速機構６を構成する大平歯車５が一体に形成されると共に、この大平歯車５の両側に２つの支持軸受１５、１６が所定のシメシロを介して圧入されている。これにより、駆動軸７からスラスト荷重が負荷されても支持軸受１５、１６と大平歯車５の軸方向の位置ズレを防止することができる。また、２つの支持軸受１５、１６は、両端部にシールド板が装着された密封型の深溝玉軸受で構成され、軸受内部に封入された潤滑グリースの外部への漏洩と、外部から摩耗粉等が軸受内部に侵入するのを防止している。
【００３２】
ここで、本実施形態では、図１に示すように、第１のハウジング２ａの袋孔９に筒状のスリーブ１８が嵌合されている。このスリーブ１８は、金属粉末を可塑状に調整し、射出成形機で成形される焼結合金からなる。この射出成形に際しては、まず、金属粉と、プラスチックおよびワックスからなるバインダとを混練機で混練し、その混練物をペレット状に造粒する。造粒したペレットは、射出成形機のホッパに供給し、金型内に加熱溶融状態で押し込む、所謂ＭＩＭ（Ｍｅｔａｌ  Ｉｎｊｅｃｔｉｏｎ  Ｍｏｌｄｉｎｇ）により成形されている。こうしたＭＩＭによって成形される焼結合金であれば、加工度が高く複雑な形状であっても容易に、かつ精度良く所望の形状・寸法に成形することができる。
【００３３】
前記金属粉として、後に浸炭焼入が可能な材質、例えば、Ｃ（炭素）が０．１３ｗｔ％、Ｎｉ（ニッケル）が０．２１ｗｔ％、Ｃｒ（クロム）が１．１ｗｔ％、Ｃｕ（銅）が０．０４ｗｔ％、Ｍｎ（マンガン）が０．７６ｗｔ％、Ｍｏ（モリブデン）が０．１９ｗｔ％、Ｓｉ（シリコン）が０．２０ｗｔ％、残りがＦｅ（鉄）等からなるＳＣＭ４１５を例示することができる。スリーブ１８は、浸炭焼入れおよび焼戻し温度を調整して行われる。また、スリーブ１８の材料としてこれ以外にも、Ｎｉが３．０〜１０．０ｗｔ％含有し、加工性、耐食性に優れた材料（日本粉末冶金工業規格のＦＥＮ８）、あるいは、Ｃが０．０７ｗｔ％、Ｃｒが１７ｗｔ％、Ｎｉが４ｗｔ％、Ｃｕが４ｗｔ％、残りがＦｅ等からなる析出硬化系ステンレスＳＵＳ６３０であっても良い。このＳＵＳ６３０は、固溶化熱処理で２０〜３３ＨＲＣの範囲に表面硬さを適切に上げることができ、強靭性と高硬度を確保することができる。
【００３４】
スリーブ１８は、図３に示すように、周方向に対向して軸方向に延びる凹溝１８ａが成形されている。このような材料を採用することにより、少なくともアルミ合金からなる第１のハウジング２ａよりも材料強度と耐摩耗性が高くなり、耐久性を向上させることができる。
【００３５】
一方、ねじ軸１２の端部には径方向に貫通する貫通孔１９が形成され、この貫通孔１９にガイドピン２０が嵌着されている。また、スリーブ１８は、ハウジング２ａの袋孔９に圧入されている。袋孔９の開口部には環状溝２１が形成され、この環状溝２１に装着された後述する穴用の止め輪２２によってスリーブ１８が軸方向に位置決め固定されている（図１参照）。
【００３６】
ここで、ガイドピン２０がスリーブ１８の凹溝１８ａに係合し、ねじ軸１２の軸方向の案内と共に回り止めを行う。このガイドピン２０と、このガイドピン２０に係合する凹溝１８ａを有するスリーブ１８とでねじ軸１２の回り止め機構を構成している。
【００３７】
ガイドピン２０には、耐摩耗性とせん断強度に優れると共に、入手性が良く低コストな針状ころ軸受用の針状ころ（ニードル）が使用されている。特に、針状ころを使用することにより、外周面にクラウニングが形成されているので、スリーブ１８の凹溝１８ａとの接触においてエッジロードを防止して接触面圧を低下させ、長期間に亘って耐久性を向上させることができる。
【００３８】
このように、ねじ軸１２のガイドピン２０がスリーブ１８の凹溝１８ａに係合し、ねじ軸１２の軸方向の案内と共に回り止めを行うため、アルミ軽合金からなるハウジング２ａの摺動摩擦や摩耗の低減を図ると共に、簡便な構造で低コスト化を図った電動リニアアクチュエータを提供することができる。
【００３９】
ここで、本実施形態では、図４に拡大して示すように、袋孔９に形成された環状溝２１に止め輪２２が装着され、この止め輪２２にスリーブ１８が干渉することによってスリーブ１８の軸方向の移動が阻止されている。止め輪２２は、ＳＷＲＨ６７Ａ（ＪＩＳ  Ｇ３５０６）等の硬鋼線材から形成されている。そして、図５に示すように、この止め輪２２は、通常のＣ形同心止め輪のように端面が平坦ではなく、弓形形状、すなわち、切欠き部２２ａを中心に左右対称となる位置に少なくとも一箇所（ここでは、中央部に一箇所）に頂点を有する湾曲部２３、２３が形成されている。
【００４０】
なお、止め輪２２は、前述したもの以外に、例えば、オーステナイト系ステンレス鋼板（ＪＩＳ規格のＳＵＳ３０４系等）、あるいは防錆処理された冷間圧延鋼板（ＪＩＳ規格のＳＰＣＣ系等）からプレス加工にて形成されていても良い。
【００４１】
図６に比較して示すように、従来の止め輪２４では、環状溝２１と止め輪２４とのガタδ１（軸方向すきま）、あるいは、止め輪２４とスリーブ１８とのガタδ２より、軸方向にスリーブ１８がガタつき、ハウジング２ｂの袋孔９の摩耗や、音あるいは振動が発生する恐れがある。また、止め輪２４の装着時に、縮径した状態で袋孔９の内周面と接触しながら環状溝２１に拡径して入るため、袋孔９の内周面を削ってしまう。この削り粉はコンタミとしてアクチュエータ内部に残留した場合、作動不良の原因となる恐れがあって好ましくない。
【００４２】
これに対し、本実施形態では、図４に示すように、少なくとも止め輪２２の外径部の角部のエッジが除去され丸められている。なお、予め角部が丸められた線材を用いてプレス加工によって形成されていれば、後処理が不要となり量産性が向上する。また、環状溝２１の溝幅Ｗが止め輪２２の自由高さＨ０（図５（ａ）参照）よりも小さく設定されているため、圧縮されていない状態（自由高さＨ０）に対し、環状溝２１に装着された状態（装着高さＨ１）では軸方向に圧縮される。すなわち、スリーブ１８に対して、止め輪２２のばね力によって軸方向荷重が発生し、スリーブ１８に所定の予圧を付与することができ、ハウジング２ｂの摩耗や音あるいは振動の発生を確実に防止することができる。
【００４３】
以上、本発明の実施の形態について説明を行ったが、本発明はこうした実施の形態に何等限定されるものではなく、あくまで例示であって、本発明の要旨を逸脱しない範囲内において、さらに種々なる形態で実施し得ることは勿論のことであり、本発明の範囲は、特許請求の範囲の記載によって示され、さらに特許請求の範囲に記載の均等の意味、および範囲内のすべての変更を含む。
【産業上の利用可能性】
【００４４】
本発明に係る電動リニアアクチュエータは、一般産業用の電動機、自動車等の駆動部に使用され、電動モータからの回転入力を、ボールねじ機構を介して駆動軸の直線運動に変換するボールねじ機構を備えた電動リニアアクチュエータに適用できる。
【符号の説明】
【００４５】
１  電動リニアアクチュエータ
２  ハウジング
２ａ  第１のハウジング
２ｂ  第２のハウジング
３  電動モータ
３ａ  モータ軸
４  小平歯車
５  大平歯車
６  減速機構
７  駆動軸
８  ボールねじ機構
９、１０  袋孔
１１  転がり軸受
１２  ねじ軸
１２ａ、１４ａ  ねじ溝
１３  ボール
１４  ナット
１５、１６  支持軸受
１７  駒部材
１８  スリーブ
１８ａ  凹溝
１９  貫通孔
２０  ガイドピン
２１  環状溝
２２、２４  止め輪
２２ａ  切欠き部
２３  湾曲部
５０  電動リニアアクチュエータ
５１  ボールねじ軸
５１ａ、５２ａ  ねじ溝
５２  ボールねじナット
５３  ボールねじ
５４、５５  ハウジング
５６、５７  転がり軸受
５８  固定用の蓋
５９  緩み止め用の回り止め部材
６０  ナットの大径部
６１  フラット部
Ｈ０  止め輪の自由高さ
Ｈ１  止め輪の装着高さ
Ｗ  環状溝の溝幅
δ１  止め輪と環状溝とのガタ
δ２  止め輪とスリーブとのガタ
【図１】
0005914031.tif 000002
【図２】
0005914031.tif 000003
【図３】
0005914031.tif 000004
【図４】
0005914031.tif 000005
【図５】
0005914031.tif 000006
【図６】
0005914031.tif 000007
【図７】
0005914031.tif 000008